【事件の表示】
　特願２００８−３２４９６８「印刷装置及び印刷装置の制御方法」拒絶査定不服審判事件〔平成２１年　４月　９日出願公開、特開２００９−　７３２００〕について、次のとおり審決する。
【結　論】
　本件審判の請求は、成り立たない。
【理　由】
１　手続の経緯
　本願は、平成１５年３月１４日（優先権主張：平成１４年３月１４日、平成１４年５月１４日）に出願した特願２００３−５７４４４５号の一部を平成２０年１２月２２日に新たな特許出願としたものであって、平成２１年９月１７日、同年１０月１日及び平成２２年５月１７日に手続補正がなされ、同年６月２日付けで拒絶査定がなされ、これに対し、同年９月６日に拒絶査定に対する審判請求がなされると同時に手続補正がなされたものである。
　その後、同年１２月１日付けで、審判請求人に前置報告書の内容を示し意見を求めるための審尋を行ったところ、平成２３年１月３１日に回答書が提出された。
　当審においてこれを審理した結果、同年７月８日付けで拒絶の理由を通知したところ、審判請求人は同年９月８日に意見書及び手続補正書を提出した。
　
２　本願発明
　本願の請求項１ないし３に係る発明は、平成２３年９月８日の手続補正後の特許請求の範囲、明細書及び図面の記載からみて、特許請求の範囲の請求項１ないし３に記載された事項により特定されるものであり、その請求項１に係る発明（以下「本願発明」という。）は、以下のとおりである。
「印刷対象データを記憶した第１の記憶媒体が装着される第１のインタフェースと、
　印刷対象データを記憶した第２の記憶媒体が装着される第２のインタフェースと、
　前記第１のインタフェースに前記第１の記憶媒体が装着され、かつ、前記第２のインタフェースに前記第２の記憶媒体が装着されている状態で印刷装置の電源が投入された場合に、前記第１のインタフェースに装着されている前記第１の記憶媒体からのみ、前記印刷対象データを読み出すためのアクセスを可能とし、前記電源の投入後、前記第２の記憶媒体が装着されている状態で前記第１の記憶媒体が非装着となった場合に、前記第２のインタフェースに装着されている前記第２の記憶媒体に自動的に切換えて、該第２の記憶媒体から前記印刷対象データを読み出すためのアクセスを可能とする排他制御部と、
　前記排他制御部により前記印刷対象データを読み出すためのアクセスが可能とされた記憶媒体から前記印刷対象データを読み出す画像処理部と、
　前記画像処理部により読み出された前記印刷対象データに対してユーザの印刷指示を受け付ける操作部と、
　前記第１または前記第２のインタフェースに装着された前記第１または前記第２の記憶媒体に、ホスト装置からアクセスするためのポートと、
を備え、
　前記排他制御部は、
　前記電源の投入後、前記第２の記憶媒体が装着されている状態で前記第１の記憶媒体が非装着のとき、前記第１の記憶媒体が前記第１のインタフェースに装着された場合、前記第２の記憶媒体から前記印刷対象データを読み出すためのアクセスを維持することを特徴とする、印刷装置。」
　
３　引用刊行物
　平成２３年７月８日付け当審の拒絶の理由に引用され、本願優先権主張日前に頒布された刊行物である特開２００２−６２８３５号公報（以下「刊行物１」という。）には、以下の記載が図とともにある（下線は審決において付した。以下同じ。）。
 　ア　【００２５】
本体ケース１１
には
プリントに関する情報を表示することが可能な表示手段としての液晶表示器１６
プリントに関する各種の命令を指示する指示手段としての操作ボタン１７ａ〜１７ｉ
が配設されている
【００２６】
操作ボタン１７ａ〜１７ｉには、電源投入及び電源オフを指示する電源ボタン１７ａ、印刷動作を指示するプリントボタン１７ｂ、印刷モード（標準プリント，インデックスプリント，全コマプリント，ＤＰＯＦ）を選択する印刷モードボタン１７ｃ、シャープネス（標準，ソフト，シャープ）を選択するシャープネスボタン１７ｄ、分割印刷の分割数（分割無し、２，４，９，１６画面）を選択する分割ボタン１７ｅ、日付け印刷及び日付け印刷表示形態を指定する日付けボタン１７ｆ、メモリカード５２の切換えを行なうカード切換ボタン１７ｇ、印刷コマ番指定モードと印刷枚数（コピー枚数）指定モードとを切り換えるコマ番／印刷枚数切換ボタン１７ｈ、コマ番又は印刷枚数の数を増減する（＋）ボタン及び（−）ボタン１７ｉ、などがある
　イ　【００２９】さらに、
プリンタ装置の後方側には
スマートメディア（ＳＭ）用挿入口６１と、コンパクトフラッシュ（ＣＦ）用挿入口６２が設けられている
　ウ　【００３５】以上のようなプリンタ装置では、印刷するデータをプリンタ装置内の画像データ用バッファメモリ（図１のメモリカード８５に相当する）に読み込むのに２通りの場合がある。第１に、複数のメモリカード５２のうちのいずれかの記録媒体（スマートメディアＳＭ又はコンパクトフラッシュＣＦ又はメモリスティックＭＳ）からのデータを読み込む場合であり、第２に、図示しない
パソコンのコネクタ５１をプリンタ装置本体１０内のインターフェース
と接続し、パソコンからのデータを読み込む場合
複数のメモリカード５２のうちのいずれかの記録媒体にアクセスしてファイルを読み込みそのアクセス中の記録媒体の種類を表示手段としての液晶表示器１６に文字セグメントで表示する場合
【００３６】プリンタ装置では、電源ボタン１７ａをオンにした時に、
プリント情報を表示する液晶表示器１６には
電源オン時に、スマートメディアＳＭが挿着されていたとすると、メモリカード表示として“ＳＭ”が文字セグメント表示される。なお、電源オン時に、ＳＭ，ＣＦ，ＭＳの全てが挿着されている場合は、ＳＭが優先的にアクセスされて“ＳＭ”が表示される
電源オンされている状態で、メモリカードを挿入する時に他のメモリカードが装着されている場合は、先に装着されているカードが優先される
【００３７】
電源ボタン１７ａオン後、上記の操作ボタン１７ｃ〜１７ｉにて各種設定を行い、プリントボタン１７ｂを押すと、例えば、設定された記録媒体の設定されたコマ番の画像データを、設定された枚数だけプリントアウトすることができる
　
　上記記載及び図面を含む刊行物１全体の記載から、刊行物１には、以下の発明が記載されていると認められる。
「本体ケース１１には、プリントに関する情報を表示することが可能な表示手段としての液晶表示器１６と、プリントに関する各種の命令を指示する指示手段としての操作ボタン１７ａ〜１７ｉが配設されており、
　操作ボタン１７ａ〜１７ｉには、電源投入及び電源オフを指示する電源ボタン１７ａ、印刷動作を指示するプリントボタン１７ｂ、印刷モード（標準プリント，インデックスプリント，全コマプリント，ＤＰＯＦ）を選択する印刷モードボタン１７ｃ、シャープネス（標準，ソフト，シャープ）を選択するシャープネスボタン１７ｄ、分割印刷の分割数（分割無し、２，４，９，１６画面）を選択する分割ボタン１７ｅ、日付け印刷及び日付け印刷表示形態を指定する日付けボタン１７ｆ、メモリカード５２の切換えを行なうカード切換ボタン１７ｇ、印刷コマ番指定モードと印刷枚数（コピー枚数）指定モードとを切り換えるコマ番／印刷枚数切換ボタン１７ｈ、コマ番又は印刷枚数の数を増減する（＋）ボタン及び（−）ボタン１７ｉ、などがあり、
　後方側には、スマートメディア（ＳＭ）用挿入口６１と、コンパクトフラッシュ（ＣＦ）用挿入口６２が設けられているプリンタ装置であって、
　パソコンのコネクタ５１をプリンタ装置本体１０内のインターフェースと接続し、パソコンからのデータを読み込む場合と、
　複数のメモリカード５２のうちのいずれかの記録媒体にアクセスしてファイルを読み込みそのアクセス中の記録媒体の種類を表示手段としての液晶表示器１６に文字セグメントで表示する場合があるものであって、
　プリント情報を表示する液晶表示器１６には、電源オン時に、スマートメディアＳＭが挿着されていたとすると、メモリカード表示として“ＳＭ”が文字セグメント表示され、電源オン時に、ＳＭ，ＣＦ，ＭＳの全てが挿着されている場合は、ＳＭが優先的にアクセスされて“ＳＭ”が表示され、電源オンされている状態で、メモリカードを挿入する時に他のメモリカードが装着されている場合は、先に装着されているカードが優先され、
　電源ボタン１７ａオン後、上記の操作ボタン１７ｃ〜１７ｉにて各種設定を行い、プリントボタン１７ｂを押すと、例えば、設定された記録媒体の設定されたコマ番の画像データを、設定された枚数だけプリントアウトすることができるプリンタ装置。」（以下「引用発明」という。）
　
４　対比
　ａ　本願発明と引用発明とを比較すると、引用発明の「『スマートメディアＳＭ』あるいは『ＳＭ』」、「スマートメディア（ＳＭ）用挿入口６１」、「ＣＦ」、「コンパクトフラッシュ（ＣＦ）用挿入口６２」、「プリンタ装置」、「操作ボタン１７ｂ〜１７ｉ」、「パソコン」、「『パソコンのコネクタ５１』と『接続』する『プリンタ装置本体１０内のインターフェース』」は、それぞれ本願発明の「第１の記憶媒体」、「第１のインタフェース」、「第２の記憶媒体」、「第２のインタフェース」、「印刷装置」、「操作部」、「ホスト装置」、「ポート」に相当する。
　ｂ　引用発明の「スマートメディアＳＭ」及び「ＣＦ」がいずれも印刷対象データを記憶するものであることは当業者に自明であるから、引用発明は、印刷対象データを記憶した第１の記憶媒体が装着される第１のインタフェースと、印刷対象データを記憶した第２の記憶媒体が装着される第２のインタフェースを備えているものといえる。
　ｃ　引用発明は「プリント情報を表示する液晶表示器１６には、電源オン時に、スマートメディアＳＭが挿着されていたとすると、メモリカード表示として“ＳＭ”が文字セグメント表示され、電源オン時に、ＳＭ，ＣＦ，ＭＳの全てが挿着されている場合は、ＳＭが優先的にアクセスされて“ＳＭ”が表示され、電源オンされている状態で、メモリカードを挿入する時に他のメモリカードが装着されている場合は、先に装着されているカードが優先され」るものであるから、引用発明が「排他制御部」を有することは、当業者に自明であり、該引用発明の排他制御部と本願発明の排他制御部とは「第１のインタフェース（スマートメディア（ＳＭ）用挿入口６１）に第１の記憶媒体（ＳＭ）が装着され、かつ、第２のインタフェース（コンパクトフラッシュ（ＣＦ）用挿入口６２）に第２の記憶媒体（ＣＦ）が装着されている状態で印刷装置（プリンタ装置）の電源が投入された場合に、前記第１のインタフェースに装着されている前記第１の記憶媒体からのみ、前記印刷対象データを読み出すためのアクセスを可能とし、前記電源の投入後、前記第２の記憶媒体が装着されている状態で前記第１の記憶媒体が非装着のとき、前記第１の記憶媒体が前記第１のインタフェースに装着された場合、前記第２の記憶媒体から前記印刷対象データを読み出すためのアクセスを維持する」点で共通する。
　ｄ　上記ｃで検討したように引用発明が「排他制御部」を有することが自明であり、引用発明は「複数のメモリカード５２のうちのいずれかの記録媒体にアクセスしてファイルを読み込」むものであるから、引用発明は、排他制御部により印刷対象データを読み出すためのアクセスが可能とされた記憶媒体から前記印刷対象データを読み出す画像処理部を有することが当業者に自明である。
　ｅ　引用発明は「電源ボタン１７ａオン後、上記の操作ボタン１７ｃ〜１７ｉにて各種設定を行い、プリントボタン１７ｂを押すと、例えば、設定された記録媒体の設定されたコマ番の画像データを、設定された枚数だけプリントアウトすることができる」ものであるから、引用発明の「操作ボタン１７ｂ〜１７ｉ」（操作部）は、画像処理部により読み出された印刷対象データに対してユーザの印刷指示を受け付けるものといえる。
　ｆ　引用発明は「パソコンのコネクタ５１をプリンタ装置本体１０内のインターフェースと接続し、パソコンからのデータを読み込む場合」があるものであるから、引用発明の「プリンタ装置本体１０内のインターフェース」と本願発明の「ポート」とは、ホスト装置と接続されるポートの点で共通する。
　ｇ　上記ａないしｆより、本願発明と引用発明は、
「印刷対象データを記憶した第１の記憶媒体が装着される第１のインタフェースと、
　印刷対象データを記憶した第２の記憶媒体が装着される第２のインタフェースと、
　前記第１のインタフェースに前記第１の記憶媒体が装着され、かつ、前記第２のインタフェースに前記第２の記憶媒体が装着されている状態で印刷装置の電源が投入された場合に、前記第１のインタフェースに装着されている前記第１の記憶媒体からのみ、前記印刷対象データを読み出すためのアクセスを可能とし、
　前記電源の投入後、前記第２の記憶媒体が装着されている状態で前記第１の記憶媒体が非装着のとき、前記第１の記憶媒体が前記第１のインタフェースに装着された場合、前記第２の記憶媒体から前記印刷対象データを読み出すためのアクセスを維持する排他制御部と、
　前記排他制御部により前記印刷対象データを読み出すためのアクセスが可能とされた記憶媒体から前記印刷対象データを読み出す画像処理部と、
　前記画像処理部により読み出された前記印刷対象データに対してユーザの印刷指示を受け付ける操作部と、
　ホスト装置と接続されるポートと、
を備える、印刷装置。」
の点で一致し、以下の点で相違している。
［相違点１］排他制御部について、本願発明は「前記第１のインタフェースに前記第１の記憶媒体が装着され、かつ、前記第２のインタフェースに前記第２の記憶媒体が装着されている状態で印刷装置の電源が投入された場合に、前記第１のインタフェースに装着されている前記第１の記憶媒体からのみ、前記印刷対象データを読み出すためのアクセスを可能とし、前記電源の投入後、前記第２の記憶媒体が装着されている状態で前記第１の記憶媒体が非装着となった場合に、前記第２のインタフェースに装着されている前記第２の記憶媒体に自動的に切換えて、該第２の記憶媒体から前記印刷対象データを読み出すためのアクセスを可能とする」、「前記電源の投入後、前記第２の記憶媒体が装着されている状態で前記第１の記憶媒体が非装着のとき、前記第１の記憶媒体が前記第１のインタフェースに装着された場合、前記第２の記憶媒体から前記印刷対象データを読み出すためのアクセスを維持する」と特定されているのに対し、引用発明は「前記第１のインタフェースに前記第１の記憶媒体が装着され、かつ、前記第２のインタフェースに前記第２の記憶媒体が装着されている状態で印刷装置の電源が投入された場合に、前記第１のインタフェースに装着されている前記第１の記憶媒体からのみ、前記印刷対象データを読み出すためのアクセスを可能とし、前記電源の投入後、前記第２の記憶媒体が装着されている状態で前記第１の記憶媒体が非装着のとき、前記第１の記憶媒体が前記第１のインタフェースに装着された場合、前記第２の記憶媒体から前記印刷対象データを読み出すためのアクセスを維持する」といえるものの、「前記電源の投入後、前記第２の記憶媒体が装着されている状態で前記第１の記憶媒体が非装着となった場合に、前記第２のインタフェースに装着されている前記第２の記憶媒体に自動的に切換えて、該第２の記憶媒体から前記印刷対象データを読み出すためのアクセスを可能とする」ものであるか否か明らかでない点。
［相違点２］ホスト装置と接続されるポートについて、本願発明は「前記第１または前記第２のインタフェースに装着された前記第１または前記第２の記憶媒体に、ホスト装置からアクセスするための」と特定されているのに対し、引用発明は、第１または第２の記憶媒体にホスト装置からアクセスできるか否か明らかでない点。
　
５　判断
（１）相違点１についての検討
　引用発明において、電源の投入後、第２の記憶媒体（ＣＦ）が装着されている状態で第１の記憶媒体（ＳＭ）が非装着となる場合があることは、当業者に自明である。刊行物１には、第２の記憶媒体が装着されている状態で第１の記憶媒体が非装着となる場合の記憶媒体へのアクセス状態がどのようになるかの記載はない。引用発明は「メモリカード５２の切換えを行なうカード切換ボタン１７ｇ」を有しているから、第１の記憶媒体が非装着となる場合、第２の記憶媒体に自動的に切換えず、ボタン１７ｇによって、第２の記憶媒体にアクセスを可能とさせることも想定できる。
　しかしながら、装着されている記憶媒体は、その記憶媒体が保有する印刷対象データに対してアクセスすることを予定して装着されているものであるから、ユーザによるボタン１７ｇ操作を省略できるように、引用発明において、電源の投入後、第２の記憶媒体が装着されている状態で第１の記憶媒体が非装着となった場合に、第２のインタフェースに装着されている前記第２の記憶媒体に自動的に切換えて、該第２の記憶媒体から印刷対象データを読み出すためのアクセスを可能とするようなものとし、本願発明の上記相違点１のような構成とすることは当業者が容易になし得る程度のことである。
　
（２）相違点２についての検討
　印刷装置において、印刷装置に装着された記憶媒体に、ホスト装置からアクセスすることは、本願優先権主張日前に周知技術（例えば、特開平１１−３２１０２８号公報、特開２００１−３４７７０６号公報参照。）であるから、引用発明において、周知技術を適用し、装着された記憶媒体が有するデータに対し、ホスト装置がアクセスできるように、本願発明の上記相違点２のような構成とすることは当業者が容易になし得る程度のことである。
　
（３）以上のように、本願発明の相違点１及び２に係る構成は、刊行物１に記載された発明及び周知技術に基づいて当業者が容易に想到することができたものであり、それにより得られる効果も当業者が予測できる範囲のものである。
　
６　むすび
　以上のとおり、本願発明は、刊行物１に記載された発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。